(57)【要約】【課題】情報記憶装置に配された表示装置の位置、状態に応じた情報表示を行うこと。また、メモリに記憶された情報を効率よく表示すること。【解決手段】フォトダイオード３７からの出力信号を、マイクロプロセッサ３０内臓のＡ／Ｄコンバータで変換し、変換した信号レベルと所定の閾値とを比較する。出力信号レベルが閾値以下の場合、ＬＣＤ３２への給電を停止する。出力信号の出力レベルが所定の閾値より大きい場合、第１のメモリ３１ａから第１の情報を読み出し、ＬＣＤ３２に表示する。フォトダイオード３８の出力信号も同様に変換し、変換した信号レベルと所定の閾値とを比較する。出力信号レベルが閾値以下の場合、ＬＣＤ３６への給電を停止する。出力レベルが所定の閾値より大きい場合、第２のメモリ３１ｂから第２の情報を読み出し、ＬＣＤ３６に表示する。【選択図】　図１
2004022081.tif 000002
【特許請求の範囲】
【請求項１】
情報を記憶するためのメモリを備える情報記憶装置であって、
当該メモリに記憶している情報を表示する表示手段と、
当該表示手段近傍の光を検知する検知手段と、
当該検知手段により検知した光の信号レベルに応じて前記表示手段への給電を制御する制御手段と
を備えることを特徴とする情報記憶装置。
【請求項２】
前記表示手段と前記検知手段が複数組存在する場合、前記制御手段は、夫々の検知手段により検知した光の信号レベルに応じて、当該夫々の検知手段に対応する夫々の表示手段への給電を制御し、
更に当該夫々の表示手段のうち給電された表示手段は、前記メモリに格納された情報のうち対応する情報を表示することを特徴とする請求項１に記載の情報記憶装置。
【請求項３】
前記検知手段は、前記表示手段の表示面と同一の面に外部から当たる光を検知することを特徴とする請求項１または２に記載の情報記憶装置。
【請求項４】
更に、前記表示手段に給電するための給電手段と、
外部からの給電と、当該給電手段による給電とを選択的に用いて前記表示手段へ給電する選択手段と
を備えることを特徴とする請求項１乃至３のいずれか１項に記載の情報記憶装置。
【請求項５】
更に、前記情報記憶装置と接続可能で、情報を表示する表示部を備える外部装置と接続しているか否かを判断する判断手段を備え、
当該判断手段により接続していると判断した場合、前記外部装置の表示部は、前記表示手段に表示する情報とは異なる情報を表示することを特徴とする請求項１乃至４のいずれか１項に記載の情報記憶装置。
【請求項６】
前記判断手段による判断結果に応じて、前記表示手段は表示する情報を変更することを特徴とする請求項５に記載の情報記憶装置。
【請求項７】
情報を記憶するためのメモリを備えると共に、外部装置と着脱可能な構成を備える情報記憶装置であって、
前記メモリに記憶している情報を表示する表示手段と、
前記外部装置との着脱状態を検知する検知手段とを備え、
前記表示手段は、当該検知手段による検知結果に応じて表示する情報を変更することを特徴とする情報記憶装置。
【請求項８】
前記表示手段は、前記検知手段が前記情報記憶装置が前記外部装置に装着されていることを検知した場合と、前記検知手段が前記情報記憶装置が前記外部装置に装着されていないことを検知した場合とで異なる情報を表示することを特徴とする請求項７に記載の情報記憶装置。
【請求項９】
情報を記憶するためのメモリを備える情報記憶装置であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々を所定の時間間隔毎に切り替えて所定の表示手段に表示させる表示制御手段を備えることを特徴とする情報記憶装置。
【請求項１０】
情報を記憶するためのメモリを備える情報記憶装置であって、
前記メモリは、表示対象の第１の情報と、当該第１の情報を表示する／表示しないを示す第２の情報との組を少なくとも１以上記憶しており、
前記第２の情報を参照して表示対象の第１の情報を決定し、決定した当該第１の情報を所定の表示手段に表示させると共に、当該表示手段の表示画面を所定の方向にスクロールさせる表示制御手段を備えることを特徴とする情報記憶装置。
【請求項１１】
情報を記憶するためのメモリを備える情報記憶装置であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々の所定の表示手段に対するレイアウトを決定する決定手段と、
当該決定手段によるレイアウトに従って前記第１の情報群を前記表示手段に表示させる表示制御手段と
を備えることを特徴とする情報記憶装置。
【請求項１２】
情報を記憶するためのメモリを備える情報記憶装置と、当該情報記憶装置と接続可能な情報処理装置とで構成される情報処理システムであって、
前記情報記憶装置は、
当該メモリに記憶している情報を表示する表示手段と、
当該表示手段近傍の光を検知する検知手段と、
当該検知手段により検知した光の信号レベルに応じて前記表示手段への給電を制御する制御手段と
を備え、
前記情報処理装置は、
前記メモリに記憶する情報を更新、追加、削除のうち少なくとも一つの操作を行う手段を備えることを特徴とする情報処理システム。
【請求項１３】
情報処理装置と、情報を記憶するためのメモリを備えると共に、当該情報処理装置と着脱可能な構成を備える情報記憶装置とで構成される情報処理システムであって、
前記情報記憶装置は、
前記メモリに記憶している情報を表示する表示手段と、
前記情報処理装置との着脱状態を検知する検知手段とを備え、
前記表示手段は、当該検知手段による検知結果に応じて表示する情報を変更することを特徴とし、
前記情報処理装置は、
前記メモリに記憶する情報を更新、追加、削除のうち少なくとも一つの操作を行う手段を備えることを特徴とする情報処理システム。
【請求項１４】
情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を複数記憶しており、
前記情報記憶装置は、
当該複数組の第２の情報群を参照して表示対象の第１の情報群を決定し、決定した当該第１の情報群の夫々を所定の時間間隔毎に切り替えて所定の表示手段に表示させる表示制御手段を備え、
前記情報処理装置は、
前記第１の情報及び／または前記第２の情報の追加、削除、更新のうち少なくとも一つの操作を行う手段を備えることを特徴とする情報処理システム。
【請求項１５】
情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を少なくとも１以上記憶しており、
前記情報記憶装置は、
前記第２の情報を参照して表示対象の第１の情報を決定し、決定した当該第１の情報を所定の表示手段に表示させると共に、当該表示手段の表示画面を所定の方向にスクロールさせる表示制御手段を備え、
前記情報処理装置は、
前記第１の情報及び／または前記第２の情報の追加、削除、更新のうち少なくとも一つの操作を行う手段を備えることを特徴とする情報処理システム。
【請求項１６】
情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を複数記憶しており、
前記情報記憶装置は、
当該複数組の第２の情報群を参照して表示対象の第１の情報群を決定し、決定した当該第１の情報群の夫々の所定の表示手段に対するレイアウトを決定する決定手段と、
当該決定手段によるレイアウトに従って前記第１の情報群を前記表示手段に表示させる表示制御手段とを備え、
前記情報処理装置は、
前記第１の情報及び／または前記第２の情報の追加、削除、更新のうち少なくとも一つの操作を行う手段を備えることを特徴とする情報処理システム。
【請求項１７】
情報を記憶するためのメモリを備える情報記憶装置の制御方法であって、
当該メモリに記憶している情報を表示手段に表示する表示工程と、
当該表示手段近傍の光を検知する検知工程と、
当該検知工程で検知した光の信号レベルに応じて前記表示手段への給電を制御する制御工程と
を備えることを特徴とする情報記憶装置の制御方法。
【請求項１８】
更に、前記情報記憶装置と接続可能で、情報を表示する表示部を備える外部装置と接続しているか否かを判断する判断工程を備え、
当該判断工程で接続していると判断した場合、前記外部装置の表示部は、前記表示工程で表示する情報とは異なる情報を表示することを特徴とする請求項１７に記載の情報記憶装置の制御方法。
【請求項１９】
前記判断工程での判断結果に応じて、前記表示工程では表示する情報を変更することを特徴とする請求項１８に記載の情報記憶装置の制御方法。
【請求項２０】
情報を記憶するためのメモリを備えると共に、外部装置と着脱可能な構成を備える情報記憶装置の制御方法であって、
前記メモリに記憶している情報を表示手段に表示する表示工程と、
前記外部装置との着脱状態を検知する検知工程とを備え、
前記表示工程では、当該検知工程での検知結果に応じて表示する情報を変更することを特徴とする情報記憶装置の制御方法。
【請求項２１】
情報を記憶するためのメモリを備える情報記憶装置の制御方法であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々を所定の時間間隔毎に切り替えて所定の表示手段に表示させる表示制御工程を備えることを特徴とする情報記憶装置の制御方法。
【請求項２２】
情報を記憶するためのメモリを備える情報記憶装置の制御方法であって、
前記メモリは、表示対象の第１の情報と、当該第１の情報を表示する／表示しないを示す第２の情報との組を少なくとも１以上記憶しており、
前記第２の情報を参照して表示対象の第１の情報を決定し、決定した当該第１の情報を所定の表示手段に表示させると共に、当該表示手段の表示画面を所定の方向にスクロールさせる表示制御工程を備えることを特徴とする情報記憶装置の制御方法。
【請求項２３】
情報を記憶するためのメモリを備える情報記憶装置の制御方法であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々の所定の表示手段に対するレイアウトを決定する決定工程と、
当該決定工程でのレイアウトに従って前記第１の情報群を前記表示手段に表示させる表示制御工程と
を備えることを特徴とする情報記憶装置の制御方法。
【請求項２４】
コンピュータを請求項１乃至１１のいずれか１項に記載の情報記憶装置として機能させるプログラム。
【請求項２５】
コンピュータに請求項１７乃至２３のいずれか１項に記載の情報記憶装置の制御方法を実行させるためのプログラム。
【請求項２６】
請求項２４または２５に記載のプログラムを格納する記憶媒体。
【発明の詳細な説明】
【０００１】
【発明の属する技術分野】
本発明は表示装置を備えると共に、情報を記憶するメモリを備える情報記憶装置、及びその制御方法、そしてこの情報記憶装置を含む情報処理システムに関するものである。
【０００２】
【従来の技術】
従来、フロッピー（登録商標）ディスク、ＭＯディスク等の記憶媒体カートリッジに表示装置を設け、この表示装置をラベルとして用いる可搬型記憶媒体カートリッジが考案されている。
【０００３】
例えば特開平４−６６８５号公報には、フロッピー（登録商標）ディスクに表示装置を備えたものが、また特開平６−２９０５６９号公報にはＭＯディスク等の円盤形記憶媒体カートリッジ、テープ型記憶媒体カートリッジ、ハードディスクカートリッジにそれぞれ表示装置を備えたものが開示されている。
【０００４】
上記開示例ではいずれも、記憶媒体カートリッジにＥＥＰＲＯＭ等の不揮発性メモリと液晶表示装置等の薄型表示装置とを備え、不揮発性メモリの記憶内容を薄型表示装置に表示する構成になっている。
【０００５】
また一方で、部品の小型化、高性能化により、持ち運び可能なノート型パーソナルコンピュータが実用化されている。また職場ではデスクトップ型パーソナルコンピュータとノート型パーソナルコンピュータを所有し、自宅にも複数台のパーソナルコンピュータを所有する人が増えている。そのためパーソナルコンピュータ内のハードディスクに蓄えられたデータの一元的な管理や、大容董データの持ち運びを行いたいというニーズが生じている。
【０００６】
このニーズに対応するため、持ち運びが容易で、簡単に交換できる着脱可能な可搬型ハードディスクカートリッジ（以下、リムーバブルハードディスクカートリッジと呼ぶ）が提案されている。
【０００７】
また、デジタルカメラやデジタルビデオカメラの普及により、デジタルデータの容量が非常に大きくなり、ハードディスクの容量がすぐいっぱいになってしまうという問題も生じている。この間題については、上記のリムーバブルハードディスクカートリッジを複数所有することにより解決される。
【０００８】
【発明が解決しようとする課題】
しかしながら上記開示例では、記憶媒体カートリッジが記憶媒体カートリッジを収容する装置（いわゆるドライブ装置）から取り外されているときの表示については開示がなされているものの、装着されているときの表示、そして複数の表示装置を備え、格納方法に応じてそれぞれに最適な表示を行う方法に関しては、何の言及もなされていない。
【０００９】
また、紙であれ電子的なものであれ、ラベルには記憶媒体カートリッジのタイトル、内容の要約、管理番号など、記憶媒体カートリッジを特定ないしは識別可能な情報を記載することが多い。これは係る情報を、記憶媒体カートリッジを探し出すための情報として利用しているからである。しかしながら、このような記憶媒体カートリッジを探し出すための情報というのは、表示場所、表示面積に応じた内容、文字の大きさでなければ有効に活用し難く、また、表示情報が不可視な場所に位置している、例えば記憶媒体カートリッジを上記ドライブ装置に装着した後では何の意味もない。
【００１０】
また、上記リムーバブルハードディスクカートリッジを複数所有すると、所有者や内容、残容量などを外観から判断すること不可能なため、その管理が困難である。
【００１１】
従来、記憶媒体力ートリツジを管理する方法として、ラベルを記入する方法が行われてきた。さらに、ラベル作成／糊付の作業を省力化するために、ラベルを電子化する装置が考案されている（特開平０６−２９０５６９号公報）。
【００１２】
この電子ラベル装置は、ＥＥＰＲＯＭなどの不揮発性半導体メモリに記憶されたデータを、テキストやアイコンを用いて表示器上に表示するものである。しかしながら、使用者ごとに得たい情報が異なるため、情報が不足していたり、冗長であったりすることがあった。また、表示器の大きさには制限があり、冗長なデータが存在することにより、必要な情報を表示する面積が狭くなり不便なことがしばしばあった。
【００１３】
また、得たい情報を大きく表示するために、メニューと選択手段を設け、メニューに沿って該選択手段を操作する方法が広く知られている。ところが、この方法は操作が煩雑であり、使い勝手が良くないという問題点があった。
【００１４】
本発明は以上の問題に鑑みてなされたものであり、情報記憶装置に配された表示装置の位置、状態に応じた情報表示を行う情報記憶装置、及びその制御方法を提供することを目的とする。
【００１５】
また本発明の別の目的は、メモリに記憶された情報を効率よく表示する情報記憶装置、及びその制御方法を提供することを目的とする。
【００１６】
【課題を解決するための手段】
本発明の目的を達成するために、例えば本発明の情報記憶装置は以下の構成を備える。
【００１７】
すなわち、情報を記憶するためのメモリを備える情報記憶装置であって、
当該メモリに記憶している情報を表示する表示手段と、
当該表示手段近傍の光を検知する検知手段と、
当該検知手段により検知した光の信号レベルに応じて前記表示手段への給電を制御する制御手段と
を備えることを特徴とする。
【００１８】
また好ましくは更に、前記情報記憶装置と接続可能で、情報を表示する表示部を備える外部装置と接続しているか否かを判断する判断手段を備え、
当該判断手段により接続していると判断した場合、前記外部装置の表示部は、前記表示手段に表示する情報とは異なる情報を表示することを特徴とする。
【００１９】
また好ましくは前記判断手段による判断結果に応じて、前記表示手段は表示する情報を変更することを特徴とする。
【００２０】
本発明の目的を達成するために、例えば本発明の情報記憶装置は以下の構成を備える。
【００２１】
すなわち、情報を記憶するためのメモリを備えると共に、外部装置と着脱可能な構成を備える情報記憶装置であって、
前記メモリに記憶している情報を表示する表示手段と、
前記外部装置との着脱状態を検知する検知手段とを備え、
前記表示手段は、当該検知手段による検知結果に応じて表示する情報を変更することを特徴とする。
【００２２】
本発明の目的を達成するために、例えば本発明の情報記憶装置は以下の構成を備える。
【００２３】
すなわち、情報を記憶するためのメモリを備える情報記憶装置であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々を所定の時間間隔毎に切り替えて所定の表示手段に表示させる表示制御手段を備えることを特徴とする。
【００２４】
本発明の目的を達成するために、例えば本発明の情報記憶装置は以下の構成を備える。
【００２５】
すなわち、情報を記憶するためのメモリを備える情報記憶装置であって、
前記メモリは、表示対象の第１の情報と、当該第１の情報を表示する／表示しないを示す第２の情報との組を少なくとも１以上記憶しており、
前記第２の情報を参照して表示対象の第１の情報を決定し、決定した当該第１の情報を所定の表示手段に表示させると共に、当該表示手段の表示画面を所定の方向にスクロールさせる表示制御手段を備えることを特徴とする。
【００２６】
本発明の目的を達成するために、例えば本発明の情報記憶装置は以下の構成を備える。
【００２７】
すなわち、情報を記憶するためのメモリを備える情報記憶装置であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々の所定の表示手段に対するレイアウトを決定する決定手段と、
当該決定手段によるレイアウトに従って前記第１の情報群を前記表示手段に表示させる表示制御手段と
を備えることを特徴とする。
【００２８】
本発明の目的を達成するために、例えば本発明の情報処理システムは以下の構成を備える。
【００２９】
すなわち、情報を記憶するためのメモリを備える情報記憶装置と、当該情報記憶装置と接続可能な情報処理装置とで構成される情報処理システムであって、
前記情報記憶装置は、
当該メモリに記憶している情報を表示する表示手段と、
当該表示手段近傍の光を検知する検知手段と、
当該検知手段により検知した光の信号レベルに応じて前記表示手段への給電を制御する制御手段と
を備え、
前記情報処理装置は、
前記メモリに記憶する情報を更新、追加、削除のうち少なくとも一つの操作を行う手段を備えることを特徴とする。
【００３０】
本発明の目的を達成するために、例えば本発明の情報処理システムは以下の構成を備える。
【００３１】
すなわち、情報処理装置と、情報を記憶するためのメモリを備えると共に、当該情報処理装置と着脱可能な構成を備える情報記憶装置とで構成される情報処理システムであって、
前記情報記憶装置は、
前記メモリに記憶している情報を表示する表示手段と、
前記情報処理装置との着脱状態を検知する検知手段とを備え、
前記表示手段は、当該検知手段による検知結果に応じて表示する情報を変更することを特徴とし、
前記情報処理装置は、
前記メモリに記憶する情報を更新、追加、削除のうち少なくとも一つの操作を行う手段を備えることを特徴とする。
【００３２】
本発明の目的を達成するために、例えば本発明の情報処理システムは以下の構成を備える。
【００３３】
すなわち、情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を複数記憶しており、
前記情報記憶装置は、
当該複数組の第２の情報群を参照して表示対象の第１の情報群を決定し、決定した当該第１の情報群の夫々を所定の時間間隔毎に切り替えて所定の表示手段に表示させる表示制御手段を備え、
前記情報処理装置は、
前記第１の情報及び／または前記第２の情報の追加、削除、更新のうち少なくとも一つの操作を行う手段を備えることを特徴とする。
【００３４】
本発明の目的を達成するために、例えば本発明の情報処理システムは以下の構成を備える。
【００３５】
すなわち、情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を少なくとも１以上記憶しており、
前記情報記憶装置は、
前記第２の情報を参照して表示対象の第１の情報を決定し、決定した当該第１の情報を所定の表示手段に表示させると共に、当該表示手段の表示画面を所定の方向にスクロールさせる表示制御手段を備え、
前記情報処理装置は、
前記第１の情報及び／または前記第２の情報の追加、削除、更新のうち少なくとも一つの操作を行う手段を備えることを特徴とする。
【００３６】
本発明の目的を達成するために、例えば本発明の情報処理システムは以下の構成を備える。
【００３７】
すなわち、情報を記憶するためのメモリを備える情報記憶装置と、当該情報記憶装置と接続可能な情報処理装置とで構成される情報処理システムであって、
前記メモリは、表示対象の第１の情報と、当該第１の情報を表示する／表示しないを示す第２の情報との組を複数記憶しており、
前記情報記憶装置は、
当該複数組の第２の情報群を参照して表示対象の第１の情報群を決定し、決定した当該第１の情報群の夫々の所定の表示手段に対するレイアウトを決定する決定手段と、
当該決定手段によるレイアウトに従って前記第１の情報群を前記表示手段に表示させる表示制御手段とを備え、
前記情報処理装置は、
前記第１の情報及び／または前記第２の情報の追加、削除、更新のうち少なくとも一つの操作を行う手段を備えることを特徴とする。
【００３８】
本発明の目的を達成するために、例えば本発明の情報記憶装置の制御方法は以下の構成を備える。
【００３９】
すなわち、情報を記憶するためのメモリを備える情報記憶装置の制御方法であって、
当該メモリに記憶している情報を表示手段に表示する表示工程と、
当該表示手段近傍の光を検知する検知工程と、
当該検知工程で検知した光の信号レベルに応じて前記表示手段への給電を制御する制御工程と
を備えることを特徴とする。
【００４０】
また好ましくは更に、前記情報記憶装置と接続可能で、情報を表示する表示部を備える外部装置と接続しているか否かを判断する判断工程を備え、
当該判断工程で接続していると判断した場合、前記外部装置の表示部は、前記表示工程で表示する情報とは異なる情報を表示することを特徴とする。
【００４１】
また好ましくは前記判断工程での判断結果に応じて、前記表示工程では表示する情報を変更することを特徴とする。
【００４２】
本発明の目的を達成するために、例えば本発明の情報記憶装置の制御方法は以下の構成を備える。
【００４３】
すなわち、情報を記憶するためのメモリを備えると共に、外部装置と着脱可能な構成を備える情報記憶装置の制御方法であって、
前記メモリに記憶している情報を表示手段に表示する表示工程と、
前記外部装置との着脱状態を検知する検知工程とを備え、
前記表示工程では、当該検知工程での検知結果に応じて表示する情報を変更することを特徴とする。
【００４４】
本発明の目的を達成するために、例えば本発明の情報記憶装置の制御方法は以下の構成を備える。
【００４５】
すなわち、情報を記憶するためのメモリを備える情報記憶装置の制御方法であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々を所定の時間間隔毎に切り替えて所定の表示手段に表示させる表示制御工程を備えることを特徴とする。
【００４６】
本発明の目的を達成するために、例えば本発明の情報記憶装置の制御方法は以下の構成を備える。
【００４７】
すなわち、情報を記憶するためのメモリを備える情報記憶装置の制御方法であって、
前記メモリは、表示対象の第１の情報と、当該第１の情報を表示する／表示しないを示す第２の情報との組を少なくとも１以上記憶しており、
前記第２の情報を参照して表示対象の第１の情報を決定し、決定した当該第１の情報を所定の表示手段に表示させると共に、当該表示手段の表示画面を所定の方向にスクロールさせる表示制御工程を備えることを特徴とする。
【００４８】
本発明の目的を達成するために、例えば本発明の情報記憶装置の制御方法は以下の構成を備える。
【００４９】
すなわち、情報を記憶するためのメモリを備える情報記憶装置の制御方法であって、
前記メモリは、表示対象の第１の情報と、当該第１の情報を表示する／表示しないを示す第２の情報との組を複数記憶しており、
当該複数組の第２の情報群を参照して表示対象の第１の情報群を決定し、決定した当該第１の情報群の夫々の所定の表示手段に対するレイアウトを決定する決定工程と、
当該決定工程でのレイアウトに従って前記第１の情報群を前記表示手段に表示させる表示制御工程と
を備えることを特徴とする。
【００５０】
【発明の実施の形態】
以下添付図面を参照して、本発明の情報記憶装置をリムーバブルハードディスクカートリッジに適用した好適な実施形態に従って詳細に説明する。
【００５１】
［第１の実施形態］
図１は本実施形態に係る可搬型記憶カートリッジとしてのリムーバブルハードディスクカートリッジ１の構成図である。同図のリムーバブルハードディスクカートリッジ１は大まかには、ハードディスクドライブ装置２０と表示装置ブロック２１の２つにより構成されている。ハードディスクドライブ装置２０および表示装置ブロック２１は、モールド部材等からなる筐体に包まれており、全体としてリムーバブルハードディスクカートリッジ１を構成する。
【００５２】
上記筐体の端部の一面は開口されていて、開口部にはリムーバブルハードディスクカートリッジ１を収容する本体装置側との接続のためのコネクタ４が配置されている。ここでリムーバブルハードディスクカートリッジ１を収納する本体装置とは、例えばパーソナルコンピュータ、ワークステーション等に接続される可搬型記憶装置（いわゆる外付けのリムーバブルストレージ装置）や、可搬型記憶装置を内蔵したパーソナルコンピュータ、ワークステーション等である。
【００５３】
次に、ハードディスクドライブ装置２０の個々の構成要素について説明する。１０はハードディスクドライブ装置２０全体の制御を司る制御回路である。制御回路１０にはインターフェース回路１１、ヘッド駆動回路１２、モータ駆動回路１３が接続されている。モータ駆動回路１３はモータ１４、１５を駆動制御するもので、モータ１４には磁気記憶媒体（プラッタ）１６が、またモータ１５にはヘッドアーム１８が係合されていて、それぞれでプラッタ１６の回転動作、ヘッドアーム１８のシーク動作を実現する。
【００５４】
ヘッド駆動回路１２は磁気ヘッド１７を駆動制御するもので、プラッタ１６の所望の位置からのデータの読み書きを実現する。読み書きするデータはインターフェース回路１１およびコネクタ４を介して、リムーバブルハードディスクカートリッジ１を収容する本体装置側とで相互に転送される。ここでインターフェース回路１１のインターフェースは、例えばＳＣＳＩ、ＩＤＥ（ＡＴＡ）等の公知のインターフェースであり、本実施形態に係るリムバーブルディスクカートリッジ１は、ＳＣＳＩ、ＩＤＥ（ＡＴＡ）等のインターフェースで接続されるディスク装置として機能する。
【００５５】
つぎに表示装置ブロック２１の個々の構成要素について説明する。３０は表示装置ブロック２１全体の制御を司るマイクロプロセッサである。マイクロプロセッサ３０には、ＣＰＵ、ＲＯＭ、ＲＡＭ、Ｉ／Ｏポート、シリアルインターフェースポート、Ａ／Ｄコンバータ等が１チップに集積されている。マイクロプロセッサ３０のシリアルインターフェースはコネクタ４に接続されている。なおコネクタ４には上記ＳＣＳＩ、ＩＤＥ（ＡＴＡ）等のインターフェースのほか、マイクロプロセッサ３０のシリアルインターフェースおよび電源用のラインが存在する。
【００５６】
リムーバブルハードディスクカートリッジ１を収容する本体装置側から、上記シリアルインターフェースを介してマイクロプロセッサ３０に送信された情報は、ＥＥＰＲＯＭ、フラッシュメモリあるいは電池バックアップされたＳＲＡＭ等で構成された不揮発性メモリ３１に記憶される。より具体的には、上記本体装置からマイクロプロセッサ３０に送信された情報は第１の情報、第２の情報であり、第１の情報は不揮発性メモリ３１内に備わっている第１のメモリ３１ａに、第２の情報は不揮発性メモリ３１内に備わっている第２のメモリ３１ｂに夫々格納されることになる。第１の情報、第２の情報、第１のメモリ、第２のメモリに関する詳細な説明は後述する。
【００５７】
３２は液晶表示装置（ＬＣＤ）で、筐体上のコネクタ４とは反対側の一面に配置されている。ＬＣＤ３２はマイクロプロセッサ３０からの出力信号に基づいて、不揮発性メモリ３１に記憶されている任意の文字情報等を表示するようになっている。また、ＬＣＤ３２には、マイクロプロセッサ３０からの出力信号に基づいて、任意に電源のＯＮ／ＯＦＦが出来るスイッチ３９を介して、電源を供給している。
【００５８】
３６は液晶表示装置（ＬＣＤ）であり、筐体上のコネクタ４、およびＬＣＤ３２とは異なる面に配置されている。ＬＣＤ３６もＬＣＤ３２同様に、マイクロプロセッサ３０からの出力信号に基づいて、不揮発性メモリ３１に記録されている任意の文字情報等を表示するようになっている。また、ＬＣＤ３６には、マイクロプロセッサ３０からの出力信号に基づいて、任意に電源のＯＮ／ＯＦＦが出来るスイッチ４０を介して、電源を供給している。
【００５９】
３７はフォトダイオードであり、ＬＣＤ３２の表示面と同一の面に外部から当たる光を検知出来るよう取り付けてあり、検知結果を示す信号は、マイクロプロセッサ３０のＡ／Ｄコンバータ機能付の入力ポートを介してマイクロプロセッサ３０に入力される。同様に、３８もフォトダイオードであり、ＬＣＤ３６の表示面と同一の面に外部から当たる光を検知出来るよう取り付けてあり、検知結果を示す信号は、マイクロプロセッサ３０のＡ／Ｄコンバータ機能付の入力ポートを介してマイクロプロセッサ３０に入力される。
【００６０】
なお、本実施形態ではＬＣＤは２つとしているが、これに限定されるものではなく２つ以上であっても良いし、１つであってもよい。その場合、フォトダイオードもこれに応じて夫々のＬＣＤの表示面と同一の面に外部から当たる光を検知出来るよう取り付ける必要がある。この場合、ＬＣＤの数とフォトダイオードの数は夫々異なっていてもよい。
【００６１】
リムーバブルハードディスクカートリッジ１が本体装置に装着されると、ハードディスクドライブ装置２０への電源電力がコネクタ４を介して供給される。そこで表示装置ブロック２１は、リムーバブルハードディスクカートリッジ１が本体装置から取り外されているときはコイン型リチウム電池３５を電源として動作するのであるが、装着時はコネクタ４を介して供給される電源電力を電源として動作するようになっている。３４はその電源を弁別するための電源弁別回路である。
【００６２】
表示装置ブロック２１の基本的な動作は、不揮発性メモリ３１に記憶された情報を、フォトダイオード３７、およびフォトダイオード３８の検知結果に基づいて、選択的にＬＣＤ３２、およびＬＣＤ３６に表示することである。詳細な動作の説明は後述する。
【００６３】
図３に電源弁別回路３４の詳細な構成を示す。同図の通り、コネクタ４からの電源とコイン型リチウム電池３５からの電源は夫々、ショットキバリアダイオード３４１、３４２に入力される。ここでコネクタ４からの電源電圧とコイン型リチウム電池３５の電圧はそれぞれ５Ｖ、３Ｖであるから、ショットキバリアダイオード３４１、３４２の整流作用により、リムーバブルハードディスクカートリッジ１が、それを収納する本体装置に装着されているときはコネクタ４からの電源（５Ｖ）が、また取り外されているときはコイン型リチウム電池（３Ｖ）が表示装置ブロック２１の電源として選択される。すなわち、ショットキバリアダイオード３４１、３４２によりコネクタ４からの電源／コイン型リチウム電池からの電源の弁別回路が構成されているわけである。
【００６４】
ここで、ショットキバリアダイオードの順方向降下電圧も考慮に入れると、最終的に表示装置ブロック２１への電源電圧としては約４．８Ｖまたは２．８Ｖが出力されることになるが、表示装置ブロック２１を構成するＩＣ、ＬＳＩ等はＣＭＯＳで構成されるため、どちらの電圧でも問題なく動作する。なお、電源弁別回路はショットキバリアダイオードではなくＦＥＴなどのスイッチ素子を用いて構成してももちろん良い。
【００６５】
図４に、リムーバブルハードディスクカートリッジ１が、上記本体装置から入力された各種の情報を不揮発性メモリ３１に書き込む処理のフローチャートを示す。同図にフローチャートに従った処理は、マイクロプロセッサ３０により実行されるが具体的には、同処理のプログラムがマイクロプロセッサ３０に含まれるＲＯＭに格納され、このプログラムはマイクロプロセッサ３０に含まれるＣＰＵ１０３により実行される。
【００６６】
図３１に、上記本体装置の概略の外観図を示す。ユーザは収容口３１０１に収容されたリムーバブルハードディスクカートリッジに対してキーボード３１０２，もしくはマウス３１０３を用いて上記第１の情報、第２の情報を入力する。
【００６７】
まずステップＳ１００では、上記本体装置から入力された情報の有無をチェックし、情報を受信したら、処理をステップＳ１０１に進め、受信した情報が第１の情報であるか、第２の情報であるかの種類判別を行う。種類識別は、情報の内容に先置して第１／第２を現すヘッダを付加しておき、ヘッダの内容を参照することで、その判別を行うことができる。
【００６８】
また第１の情報、第２の情報としては例えば、第１の情報をリムーバブルハードディスクカートリッジ１に記録してある本のタイトル、第２の情報をこの本の作者名として用いても良い。そしてステップＳ１０１における判別により、受信した情報が第１の情報である場合には処理をステップＳ１０２に進め、この第１の情報を第１のメモリに格納する。一方、受信した情報が第２の情報である場合には、処理をステップＳ１０３に進め、この第２の情報を第２のメモリに格納する。
【００６９】
後は以上の処理を繰り返すことになる。すなわち、上記本体装置は、必要に応じて不揮発性メモリ３１に記憶される第１の情報、第２の情報を更新することができる。なお以上の処理は、当然のことながらリムーバブルハードディスクカートリッジ１が本体装置に装着されているときにのみ行われる処理である。
【００７０】
図５にリムーバブルハードディスクカートリッジ１が、ＬＣＤ３２、およびＬＣＤ３６へ情報を表示する処理のフローチャートを示す。同図にフローチャートに従った処理は、マイクロプロセッサ３０により実行されるが具体的には、同処理のプログラムがマイクロプロセッサ３０に含まれるＲＯＭに格納され、このプログラムはマイクロプロセッサ３０に含まれるＣＰＵ１０３により実行される。
【００７１】
まずステップＳ１では、フォトダイオード３７からの出力信号を、マイクロプロセッサ３０内臓のＡ／Ｄコンバータでデジタル信号に変換し、変換した信号レベルが所定の閾値より大きいか否かを調べることにより、ＬＣＤ３２表示面へ光が入射しているのか否かを調べる。もし、フォトダイオード３７の出力信号レベルが閾値以下であれば、ＬＣＤ３２表示面は、遮光状態にあると判断し、ステップＳ３でスイッチ３９をオフにして、ＬＣＤ３２への給電を停止する。ＬＣＤ３２表示面が遮蔽状態であるということは、この面（ＬＣＤ３２表示面）が見え難い状態であるとすることができる。よって、見え難い状態であればＬＣＤ３２への給電を停止しても問題はない。これにより、見え難い表示面に無駄な電源を要することがなくなる。
【００７２】
一方、ステップＳ１で変換したフォトダイオード３７の出力信号の出力レベルが所定の閾値より大きい場合には、ＬＣＤ３２表示面は開口状態にあると判断し、ステップＳ２で、不揮発性メモリ３１の第１のメモリ３１ａから第１の情報を読み出し、ステップＳ４でこの第１の情報をＬＣＤ３２に表示する。
【００７３】
次にステップＳ５で、フォトダイオード３８の出力信号をマイクロプロセッサ３０内臓のＡ／Ｄコンバータでデジタル信号に変換し、変換した信号レベルが所定の閾値より大きいか否かを調べることにより、ＬＣＤ３６表示面へ、光が入射しているのか否かを調べる。もし、フォトダイオード３８の出力信号レベルが閾値以下であれば、ＬＣＤ３６表示面は、遮光状態にあると判断し、ステップＳ６でスイッチ４０をオフにして、ＬＣＤ３６への給電を停止する。ＬＣＤ３６表示面が遮蔽状態であるということは、この面（ＬＣＤ３６表示面）が見え難い状態であるとすることができる。よって、見え難い状態であればＬＣＤ３６への給電を停止しても問題はない。これにより、見え難い表示面に無駄な電源を要することがなくなる。
【００７４】
一方、ステップＳ５で変換したフォトダイオード３８の出力レベルが所定の閾値より大きい場合には、ＬＣＤ３６表示面は開口状態にあると判断し、ステップＳ７で、不揮発性メモリ３１の第２のメモリ３１ｂから第２の情報を読み出し、ステップＳ８でこの第２の情報をＬＣＤ３６に表示する。以降はステップＳ１からの処理を繰り返す。
【００７５】
ここで、第１の情報をリムーバブルハードディスクカートリッジ１に記録してある映画のタイトル情報、第２の情報を前記リムーバブルハードディスクカートリッジ１に記録してある映画の監督、出演者情報とした場合に、上記本体装置に収容している／収容していない場合のリムーバブルハードディスクカートリッジ１の上記ＬＣＤ３２、ＬＣＤ３６の状態を夫々図６，７に示す。
【００７６】
図６は、リムーバブルハードディスクカートリッジ１を上記本体装置２の収容口２ａに収容していない場合に、ＬＣＤ３２、ＬＣＤ３６の状態を示す図である。同図の状態では、リムーバブルハードディスクカートリッジ１は本体装置２の外部に存在するので、周囲の光がリムーバブルハードディスクカートリッジ１に照射している。よってフォトダイオード３７，３８は夫々充分な光（上記所定の閾値以上のレベルの光）を検知することになるので、ＬＣＤ３２、ＬＣＤ３６の夫々には電源が供給されるため、同図の通りＬＣＤ３２には上記映画のタイトル情報が表示され、ＬＣＤ３６には上記映画の監督、出演者情報が表示される。
【００７７】
一方、図７はリムーバブルハードディスクカートリッジ１を上記本体装置２の収容口２ａに収容してる場合に、ＬＣＤ３２、ＬＣＤ３６の状態を示す図である。同図の状態では、リムーバブルハードディスクカートリッジ１は収容口２ａに収容されており、よってフォトダイオード３７は充分な光（上記所定の閾値以上のレベルの光）を検知することができるが、フォトダイオード３８は充分な光（上記所定の閾値以上のレベルの光）を検知することができない。よって、ＬＣＤ３２には電源が供給されるが、ＬＣＤ３６には電源が供給されないので、同図の通りＬＣＤ３２には上記映画のタイトル情報が表示され、ＬＣＤ３６には何も表示されない。
【００７８】
図２に上記リムーバブルハードディスクカートリッジ１を積み重ねた（ラックなどに整理した）場合の様子を示す。同図において１Ａ、１Ｂ、および１Ｃは、それぞれリムーバブルハードディスクカートリッジであり、３２Ａ、３２Ｂ、および３２Ｃは、それぞれ、リムーバブルハードディスクカートリッジ１Ａ、１Ｂ、および１Ｃが備える第１の表示器である。同様に、３６Ａ、３６Ｂ、および３６Ｃは、それぞれ、リムーバブルハードディスクカートリッジ１Ａ、１Ｂ、および１Ｃが備える第２の表示器である。
【００７９】
また、３７Ａ、３７Ｂ、および３７Ｃは、それぞれ、リムーバブルハードディスクカートリッジ１Ａ、１Ｂ、および１Ｃが備える第１のフォトダイオードであり、３８Ａ、３８Ｂ、および３８Ｃは、それぞれ、リムーバブルハードディスクカートリッジ１Ａ、１Ｂ、および１Ｃが備える第２のフォトダイオードである。
【００８０】
同図のように、リムーバブルハードディスクカートリッジ１Ａ、１Ｂ、および１Ｃが備える第１のフォトダイオード３７Ａ、３７Ｂ、および３７Ｃと、リムーバブルハードディスクカートリッジ１Ａが備える第２のフォトダイオード３８Ａは受光状態（上記所定の閾値以上のレベルの光が検知可能な状態）となるため、前述のように、それぞれのフォトダイオードを備えるリムーバブルハードディスクカートリッジ１Ａ、１Ｂ、および１Ｃが備える第１の表示器３２Ａ、３２Ｂ、および３２Ｃは、通常表示状態となる。一方、リムーバブルハードディスクカートリッジ１Ｂ、および１Ｃが備える第２のフォトダイオード３８Ｂ、および３８Ｃは、遮光状態（上記所定の閾値以上のレベルの光が検知できない状態）となるため、夫々のフォトダイオードを備えるリムーバブルハードディスクカートリッジ１Ｂ、および１Ｃが備える第２の表示器３６Ｂ、および３６Ｃの表示面には何も表示されないことになる。
【００８１】
以上説明してきたように、本実施形態によれば、リムーバブルハードディスクカートリッジに取り付けられた液晶表示装置が、受光状態、すなわち可視状態にある場合と、本体装置に装着したり、積み重ねられて遮光状態、すなわち不可視状態にある場合の、それぞれに応じて、可視状態にある液晶表示装置にのみ、情報を表示するようにしたので、無駄な表示動作をせず、表示装置用内臓電池を長寿命化することが出来、なおかつ、液晶表示装置が複数可視状態にある場合には、それぞれに異なる情報を表示することにより、液晶表示装置を有効に利用することができる。
【００８２】
なお、以上の説明では第１の情報を、記録してある映画のタイトル情報としたがこれに限定されるものではなく、これ以外にも第１の情報として、ボリューム名や、データベース管理ソフト等が付与するディスク識別番号・識別記号であってもよい。また第２の情報もリムーバブルハードディスクカートリッジ１に記録してある映画の監督、出演者情報以外に、リムーバブルハードディスクカートリッジの使用者、作成者、管理者、所有者情報（複数人で使用するパーソナルコンピュータ等では現在装着されているリムーバブルハードディスクカートリッジの使用者、作成者、管理者、所有者等の情報が分かると便利である）や、リムーバブルハードディスクカートリッジがリモートアクセスを許可されている場合には、リムーバブルハードディスクカートリッジへの現在のリモートアクセス者情報などであってもよい。
【００８３】
また上記第１の情報、第２の情報は夫々文字情報としたが、これに限定されるものではなく、アイコンなどの画像情報を用いてもよい。
【００８４】
また、リムーバブルハードディスクカートリッジを収納する本体装置を、パーソナルコンピュータ等に接続される可搬型記憶装置（いわゆる外付けのリムーバブルストレージ装置）や、可搬型記憶装置を内蔵したパーソナルコンピュータ等ではなく、ハードディスクドライブ装置を記憶媒体とした画像記録装置（いわゆるハードディスクビデオレコーダ）とした場合であっても良い。
【００８５】
また、以上の説明では電池としてコイン型リチウム電池を例に説明を行ったが、これ以外にも二次電池や太陽電池、あるいは異なる種類の電池を組み合わせて用いてもよい。さらに本体装置側から表示装置ブロックへの電力供給も必ずしも必要ではなく、常時電池で動作するようにしても、もちろんよい。
【００８６】
またリムーバブルハードディスクカートリッジを収容する本体装置が、不揮発性メモリへ情報を書き込むのに有線のコネクタを使用したが、適宜無線手段を用いて接続してもよいことは言うまでもない。
【００８７】
［第２の実施形態］
第１の実施形態に係るリムーバブルハードディスクカートリッジにはＬＣＤが２つ設けられていたが、本実施形態に係るリムーバブルハードディスクカートリッジには１つのみ設け、もう一つをこのリムーバブルハードディスクカートリッジの保護カバーに設ける。以下、これらリムーバブルハードディスクカートリッジと保護カバーについて説明する。
【００８８】
図８は本実施形態に係るリムーバブルハードディスクカートリッジと保護ケースとを示す図である。１００はリムーバブルハードディスクカートリッジで、液晶表示装置（ＬＣＤ）３２と、後述の保護ケース９０と接続する為の、コネクタ９１を有する。９０はリムーバブルハードディスクカートリッジ１００の保護ケースであり、リムーバブルハードディスクカートリッジ１００全体を覆おうような形状を成しており、液晶表示装置（ＬＣＤ）９３と、リムーバブルハードディスクカートリッジ１００と接続する為の、コネクタ９２を有する。コネクタ９１とコネクタ９２は、リムーバブルハードディスクカートリッジ１００が、保護ケース９０内に収納された位置で、嵌合する位置に設けてある。
【００８９】
図９は、リムーバブルハードディスクカートリッジ１００と保護ケース９０の構成を示す図である。図１と同じ部分については同じ番号を付け、その説明を省略する。
【００９０】
９１は保護ケース９０と電気的に接続する為のコネクタであり、リムーバブルハードディスクカートリッジ１００への電源供給線９７、リムーバブルハードディスクカートリッジ１００へ表示データを書き込む為の通信用信号線９６、後述の保護ケース９０、すなわち、ＬＣＤ９３の着脱を検知する為の検知信号線９４、および９５が接続してある。検知信号線９４は、マイクロプロセッサ３０の出力ポートに接続してあり、検知信号線９５は、マイクロプロセッサ３０の入力ポートに接続してある。
【００９１】
図１０は保護ケース９０、すなわちＬＣＤ９３の着脱を検知する回路の構成例を示した図である。同図においては、コネクタ９１、９２の一部の端子を利用したループバック信号で構成している。検知信号線９４は、コネクタ９１とコネクタ９２が嵌合すると、保護ケース９０側のコネクタ９２の配線により折り返されている。したがってマイクロプロセッサ３０は、自身の出力ポートからの出力信号を自身の入力ポートで監視できたときに、装着されていると検知することができる。
【００９２】
図１１にリムーバブルハードディスクカートリッジ１がＬＣＤ３２、そして状況に応じてＬＣＤ９３へ情報を表示する処理のフローチャートを示す。同図にフローチャートに従った処理は、マイクロプロセッサ３０により実行されるが具体的には、同処理のプログラムがマイクロプロセッサ３０に含まれるＲＯＭに格納され、このプログラムはマイクロプロセッサ３０に含まれるＣＰＵ１０３により実行される。
【００９３】
ステップＳ２０で、不揮発性メモリ３１の第１のメモリ３１ａから第１の情報を読み出し、ステップＳ２１でこの第１の情報をＬＣＤ３２に表示する。そして次にステップＳ２２，Ｓ２３，Ｓ２４，Ｓ２５で、コネクタ９１とコネクタ９２とが接着されているか否かをチェックする。これはすなわち、リムーバブルハードディスクカートリッジ１とＬＣＤ９３とが電気的に接続可能であるか否かをチェックすることでもある。
【００９４】
まずステップＳ２２では、検知信号線９４の値をローレベルに設定する。そしてステップＳ２３では、検知信号線９５の値を読み取り、その値がローレベルであるか否かをチェックする。コネクタ９１とコネクタ９１とが接着されている場合には、ステップＳ２２で設定した検知信号線９４の値が、コネクタ９１、コネクタ９２、コネクタ９２上のループバック配線、そして再びコネクタ９１を経由して検知信号線９５に伝達されるので、検知信号線９５の値もローレベルになる。
【００９５】
よってステップＳ２２で設定した値と検知信号線９５の値とが一致しない場合には、コネクタ９１とコネクタ９２とが接着していないと判断できるので、以降の処理は行わずに処理をステップＳ２０に進め、ステップＳ２０からの処理を繰り返す。
【００９６】
一方、ステップＳ２２で設定した値と検知信号線９５の値とが一致した場合には、処理をステップＳ２４に進める。ステップＳ２４では、検知信号線９４の値をハイレベルに設定する。そしてステップＳ２５では、検知信号線９５の値を読み取り、その値がハイレベルであるか否か判断する。前述の如く、コネクタ９１とコネクタ９１とが接着されている場合には、ステップＳ２４で設定した検知信号線９４の値が、コネクタ９１、コネクタ９２、コネクタ９２上のループバック配線、そして再びコネクタ９１を経由して検知信号線９５に伝達されるので、検知信号線９５の値もハイレベルになる。
【００９７】
よってステップＳ２４で設定した値と検知信号線９５の値とが一致しない場合には、コネクタ９１とコネクタ９２とが接着していないと判断できるので、以降の処理は行わずに処理をステップＳ２０に進め、ステップＳ２０からの処理を繰り返す。
【００９８】
一方、ステップＳ２４で設定した値と検知信号線９５の値とが一致した場合には、コネクタ９１とコネクタ９２とが接着していると判断されると共に、ＬＣＤ９３と電気的に接続していると判断されるので、処理をステップＳ２６に進め、メモリ３１ｂから第２の情報を読み出し、ステップＳ２７でこの第２の情報をＬＣＤ９３に表示する。以降は上記ステップＳ２０からの処理を繰り返す。
【００９９】
［第３の実施形態］
上記第１，２の実施形態では第１の表示器、第２の表示器（第１の実施形態では夫々ＬＣＤ３２、ＬＣＤ３６に対応し、第２の実施形態では夫々ＬＣＤ３２、ＬＣＤ９３に対応する）に表示する情報は、夫々第１の情報、第２の情報として固定していたが、本実施形態に係るリムーバブルハードディスクカートリッジは、例えば第２の表示器の有無に応じて第１の表示器に表示する内容を変更する。
【０１００】
より具体的には、本実施形態に係るリムーバブルハードディスクカートリッジは第２の実施形態と同様にリムーバブルハードディスクカートリッジと保護ケースとがコネクタを介して接続されているか否かを判断し、その判断結果に応じて第１の表示器に表示する内容を変更する。よって本実施形態に係るリムーバブルハードディスクカートリッジ、及び保護カバーの構成は図９に示したものと同じであるが、異なる点としては、後述の第３の情報を格納するための第３のメモリを不揮発性メモリ３１が備える点にあると共に、この第３のメモリには予め図４に示した手順と同じ手順で第３の情報が書き込まれている。第３の情報については後述する。
【０１０１】
図１２に本実施形態に係るリムーバブルハードディスクカートリッジ１がＬＣＤ３２、そして状況に応じてＬＣＤ９３へ情報を表示する処理のフローチャートを示す。同図にフローチャートに従った処理は、マイクロプロセッサ３０により実行されるが具体的には、同処理のプログラムがマイクロプロセッサ３０に含まれるＲＯＭに格納され、このプログラムはマイクロプロセッサ３０に含まれるＣＰＵ１０３により実行される。
【０１０２】
まずステップＳ３０，Ｓ３１，Ｓ３２，Ｓ３３で、コネクタ９１とコネクタ９２とが接着されているか否かをチェックする。これはすなわち、リムーバブルハードディスクカートリッジ１とＬＣＤ９３とが電気的に接続可能であるか否かをチェックすることでもある。
【０１０３】
まずステップＳ３０では、検知信号線９４の値をローレベルに設定する。そしてステップＳ３１では、検知信号線９５の値を読み取り、その値がローレベルであるか否かをチェックする。コネクタ９１とコネクタ９１とが接着されている場合には、ステップＳ２２で設定した検知信号線９４の値が、コネクタ９１、コネクタ９２、コネクタ９２上のループバック配線、そして再びコネクタ９１を経由して検知信号線９５に伝達されるので、検知信号線９５の値もローレベルになる。
【０１０４】
よってステップＳ３０で設定した値と検知信号線９５の値とが一致しない場合は、コネクタ９１とコネクタ９２とが接着していない、すなわち、ＬＣＤ９３とは電気的に接続されていないため、ＬＣＤ９３に情報を表示することができない。これによりユーザはＬＣＤ３２に表示される情報のみしか見えることができない。この場合、第１，２の実施形態に係るリムーバブルハードディスクカートリッジでは、第１の情報しか見ることができず、第２の情報を見ることができない。そこで本実施形態では、第３の情報を第１の情報と第２の情報とをマージし、ＬＣＤ３２に表示可能な文字数となるように要旨をまとめた情報とし、この第３の情報をＬＣＤ３２に表示することで、ＬＣＤ９３が使用できなくても、ユーザは第１の情報と共に第２の情報を見ることができる。
【０１０５】
以上の説明により、ステップＳ３１で一致していないと判断された場合には処理をステップＳ４０に進め、上記第３のメモリから第３の情報を読み出し、ステップＳ４１でこの第３の情報をＬＣＤ３２に表示する。
【０１０６】
一方ステップＳ３１での判断により、ステップＳ３０で設定した値と検知信号線９５の値とが一致した場合は、処理をステップＳ３２に進める。ステップＳ３２では、検知信号線９４の値をハイレベルに設定する。そしてステップＳ３３では、検知信号線９５の値を読み取り、その値がハイレベルであるか否か判断する。前述の如く、コネクタ９１とコネクタ９１とが接着されている場合には、ステップＳ３２で設定した検知信号線９４の値が、コネクタ９１、コネクタ９２、コネクタ９２上のループバック配線、そして再びコネクタ９１を経由して検知信号線９５に伝達されるので、検知信号線９５の値もハイレベルになる。
【０１０７】
よってステップＳ３２で設定した値と検知信号線９５の値とが一致しない場合には、コネクタ９１とコネクタ９２とが接着していないと判断できるので、ステップＳ４０に処理を進め、続いてステップＳ４１における処理を行う。ステップＳ４０，Ｓ４１における処理の内容については上述の通りなのでその説明を省略する。
【０１０８】
一方、ステップＳ３２で設定した値と検知信号線９５の値とが一致した場合には、コネクタ９１とコネクタ９２とが接着していると判断されると共に、ＬＣＤ９３と電気的に接続していると判断されるので、処理をステップＳ３４に進める。そしてこの場合はＬＣＤ９３にも情報を表示することができるので、上記実施形態と同じように、ＬＣＤ３２には第１の情報、ＬＣＤ９３には第２の情報を表示することができる。よってステップＳ３４では、メモリ３１ａから第１の情報を読み出し、ステップＳ３５でこの第１の情報をＬＣＤ３２に表示する。またステップＳ３６では、メモリ３１ｂから第２の情報を読み出し、ステップＳ３７でこの第２の情報をＬＣＤ９３に表示する。
【０１０９】
以上の説明により、本実施形態によって、第１の実施形態、第２の実施形態に加えて、第２の表示装置（本実施形態ではＬＣＤ３２）の有無に応じて、第１の表示装置（本実施形態ではＬＣＤ９３）に表示する情報の内容を変更することができ、より使い易いユーザインターフェースを実現できる。
【０１１０】
また本実施形態を含む、上記実施形態ではハードディスクドライブ装置を用いた可搬型記憶カートリッジに好適だが、必ずしもこれに限定されるわけではなく、ドライブ装置を具備しない記憶媒体だけの可搬型記憶カートリッジ、例えば円盤形記憶媒体カートリッジやテープ型記憶媒体カートリッジにも応用可能であることは言うまでもない。
【０１１１】
［第４の実施形態］
本実施形態に係るリムーバブルハードディスクカートリッジにはＬＣＤが一つ備わっており、このリムーバブルハードディスクカートリッジの上記本体装置への着脱に応じてＬＣＤに表示する情報を変更する。以下、このリムーバブルハードディスクカートリッジについて説明する。
【０１１２】
本実施形態に係るリムーバブルハードディスクカートリッジ１３００の構成を図１３に示す。なお同図の各部において図１に示した各部と同じ部分については同じ番号を付けて折り、その説明は上述の通りなので省略する。本実施形態に係るリムーバブルハードディスクカートリッジ１３００は大まかには、ハードディスクドライブ装置２０と表示装置ブロック１３０２の２つにより構成されている。リムーバブルハードディスクカートリッジ１３００が第１の実施形態のリムーバブルハードディスクカートリッジ１と異なる部分は表示装置ブロック１３０２の構成であるので、以下、表示装置ブロック１３０２の構成及びその動作について説明する。
【０１１３】
表示装置ブロック１３０２の構成は図１の表示装置ブロック２１と比べて、フォトダイオード，３８、スイッチ３９，４０がなく、またＬＣＤは一つであるためにＬＣＤ３６がなく、図１に示した構成に対して着脱検知回路１３０１を備える構成を備える。着脱検知回路１３０１はリムーバブルハードディスクカートリッジ１が本体装置に装着されているか否かを検知する回路である。また本実施形態に係るマイクロプロセッサ３０にはＡ／Ｄコンバータは備わっていない（フォトダイオードが備わっていないため必要がない）。
【０１１４】
図１４に着脱検知回路１３０１の詳細な構成を示す。コネクタ４から供給される電源は、プルダウン抵抗３６を介してマイクロプロセッサ３０の入力ポートに接続される。リムーバブルハードディスクカートリッジ１が本体装置から取り外されているとき、図中ａ点の信号レベルはＬｏｗとなるが、装着されているときはＨｉとなる。よって上記入力ボートの信号レベルのＨｉ／Ｌｏｗによって、リムーバブルハードディスクカートリッジ１が本体装置に装着されているか否かを検知することができる。
【０１１５】
以上の構成を備える表示装置ブロック１３０２の基本的な動作は、不揮発性メモリ３１に記憶された情報を、着脱検知回路３３の検知結果に基づいて、選択的にＬＣＤ３４に表示することである。
【０１１６】
図１５に、リムーバブルハードディスクカートリッジ１３００の上記本体装置への着脱に応じて表示装置ブロック１３０２が行う処理のフローチャートを示す。同図にフローチャートに従った処理は、マイクロプロセッサ３０により実行されるが具体的には、同処理のプログラムがマイクロプロセッサ３０に含まれるＲＯＭに格納され、このプログラムはマイクロプロセッサ３０に含まれるＣＰＵ１０３により実行される。また、同図のフローチャートに従った処理に先立って、第１のメモリ３１ａ、第２のメモリ３１ｂには夫々第１の情報、第２の情報が記録されているが、記録する処理は図４に従った処理により予め行われているものとする。
【０１１７】
まずステップＳ１５００では着脱検知回路１３０１によりリムーバブルハードディスクカートリッジ１３００が本体装置に装着されているのか否かを検知する。そして着脱検知回路１３０１の検知結果により装着されていない（取り外し中である）場合、処理をステップＳ１５０１に進め、上記第１のメモリ３１ａから第１の情報を読み出し、ステップＳ１５０２でこの第１の情報をＬＣＤ３２に表示する。
【０１１８】
一方、ステップＳ１５００で着脱検知回路１３０１により装着中である場合、処理をステップＳ１５０３に進め、第２のメモリ３１ｂから第２の情報を読み出し、ステップＳ１５０４でこの第２の情報をＬＣＤ３２に表示する。以降はステップＳ１５００からの処理を繰り返す。
【０１１９】
ここで第１の情報をリムーバブルハードディスクカートリッジ１３００のタイトル情報、第２の情報をリムーバブルハードディスクカートリッジ１３００の使用量／残量情報とした場合に、上記本体装置に装着している／装着していない場合のリムーバブルハードディスクカートリッジ１３００のＬＣＤ３２の表示状態を図１６，１７に示す。
【０１２０】
図１６はリムーバブルハードディスクカートリッジ１３００を上記本体装置２の収容口２ａに収容していない（リムーバブルハードディスクカートリッジ１３００に装着していない）場合のＬＣＤ３２に表示状態を示す図で、この場合、ＬＣＤ３２には第１の情報としてのリムーバブルハードディスクカートリッジ１３００のタイトル情報が表示されている。
【０１２１】
一方、図１７はリムーバブルハードディスクカートリッジ１３００を上記本体装置２の収容口２ａに収容している（リムーバブルハードディスクカートリッジ１３００に装着している）場合のＬＣＤ３２に表示状態を示す図で、この場合、ＬＣＤ３２には第２の情報としてのリムーバブルハードディスクカートリッジ１３００の使用量／残量情報が表示されている。
【０１２２】
以上説明してきたように、本実施形態によれば、リムーバブルハードディスクカートリッジが本体装置に装着しているときと、取り外されているときとで異なる情報を液晶表示装置に表示するようにしたので、装着されているときであっても液晶表示装置を有効に利用することができる。
【０１２３】
なお、以上の説明では第１の情報、第２の情報を夫々タイトル情報、使用量／残量情報としたがこれに限定されるものではなく、他にも第１の実施形態で示した各情報であっても良い。
【０１２４】
またリムーバブルハードディスクカートリッジを収納する本体装置を、パーソナルコンビュ丁夕等に接続される可搬型記憶装置（いわゆる外付けのリムーバブルストレージ装置）や、あるいは可搬型記憶装置を内蔵したパーソナルコンピュータ等ではなく、ハードディスクドライブ装置を記憶媒体とした画像記録装置（いわゆるハードディスクビデオレコーダ〉としてもよい。
【０１２５】
この場合は、第１の情報をタイトル情報、第２の情報をＶＴＲの場合の走行カウンタに相当する記録（再生）時間情報、残りの記録可能時間情報としてもよい。この場合の第１の情報、第２の情報の表示例を夫々図１８，１９に示す。図１８，１９は図１６，１７に示した夫々の第１の情報、第２の情報を変更したものであり、その説明の概要は図１６，１７を用いたものと同じであるので、その説明を省略する。
【０１２６】
また上記リムーバブルハードディスクカートリッジがビデオコンテンツを収録（記録）したもので、いわゆるビデオカートリッジとしてレンタル用として供給されるものである場合には、第１の情報をレンタル期限の日付情報としてもよい。さらに、ビデオコンテンツまたは音楽コンテンツ等が収録され、使用回数ないしは使用期限を限って販売・レンタルされるリムーバブルハードディスクカートリッジの場合には、第１の情報を使用許可回数ないしは使用期限の日付情報としてもよい。
【０１２７】
［第５の実施形態］
第４の実施形態ではリムーバブルハードディスクカートリッジ１３００が本体装置に装着されているか否かの検知を、コネクタ４からの電源の供給の有無を検知することで実施したが、これ以外の方法でも装着されているか否かの検知を行うことができる。
【０１２８】
上記検知を行う方法の一例を図２０に示す。同図のように、コネクタ４の一部の端子を利用したループバック信号により検知を行っても良い。コネクタ４のループバック信号は、本体装置側のコネクタで折り返されている。したがってマイクロプロセッサ３０は、自身の出力ボートからの出力信号を自身の入力ポートで監視できたときに、装着されていると検知することができる。
【０１２９】
またそのほかの検知を行う方法の一例を図２１に示す。同図のように、リムーバブルハードディスクカートリッジ１が本体装置に装着されたときに押下されるマイクロスイッチ２１０１を、リムーバブルハードディスクカートリッジ１３００の端部に設けておき、ブルアップ抵抗２１０２との組み合わせでマイクロスイッチ２１０１の開閉をマイクロプロセッサ３０で電気的に検知してもよい。マイクロスイッチ２１０１は、リムーバブルハードディスクカートリッジ１３００が本体装置に装着されたときに押下されて「閉」となるので、マイクロプロセッサ３０の入力ボートでＬｏｗレベルが監視できたときに、装着されていると検知することができる。
【０１３０】
図２０、２１で示した構成を用いる場合は、表示装置ブロックヘの本体装置側から電源供給がない場合でも、リムーバブルハードディスクカートリッジ１３００が本体装置に装着されているか否かの検知を行うことができる。
【０１３１】
［第６の実施形態］
本実施形態に係るリムーバブルハードディスクカートリッジには第４の実施形態と同様にＬＣＤが一つ備わっており、このＬＣＤにいくつかの表示方法により情報を表示する。以下、このリムーバブルハードディスクカートリッジについて説明する。
【０１３２】
図２２に本実施形態に係る情報記憶装置の構成を示す。同図において２２０１はリムーバブルハードディスクカートリッジとしての液晶表示器付き可搬型記憶媒体力一トリッジ本体、２２０２はハードディスク等のディスク記憶媒体、２２０３はディスク記憶媒体２２０２に対する駆動制御、データの読み出し／書き込みを行うディスク制御回路、２２０４は後述の設定テーブルを記憶し、ＥＥＰＲＯＭ等により構成されている不揮発性半導体メモリ、２２０５は不揮発系半導体メモリ２２０４に対するデータの読み出し／書き込みを行う半導体メモリ読み書き回路、２２０６は上記本体装置との接続を行うためのＩ／Ｆ部で、上記本体装置とのデータのやりとりや、本体装置から電源を供給してもらうために使用される。
【０１３３】
２２０７は液晶表示器２２０８に表示する情報を選択するための情報選択制御回路、２２０８は液晶パネルなどのドット表示可能な液晶表示器、２２０９は日時を計時するタイマ、２２１０は情報選択制御回路２２０７，液晶表示器２２０８、タイマ２２０９に電源を供給するための電池である。電池１３１０のサイズや種別は特限定されるものではない。
【０１３４】
図２３に上記設定テーブルの構成例を示す。「項目」にはディスク記憶媒体２２０２全体の記憶容量（合計容量）、ディスク記憶媒体２２０２の使用量、空き容量、タイトル、所有者、アクセス権、最終アクセス日時などがあり、夫々の項目はリムーバブルハードディスクカートリッジ２２０１を上記本体装置に接続した場合に、本体装置から追加、削除、そして既存の項目を更新する等の操作を行うことができる。また夫々の項目には、項目の内容を表示するか否かを示すビットが添付されている。同図では１に対応する項目は表示対象の項目、０に対応する項目は表示しない項目であるので、この設定テーブルを参照することで液晶表示器２２０８にはリムーバブルハードディスクカートリッジ２２０１の空き容量、タイトル、そして所有者が表示されることになる。なお、表示対象の項目の指定方法は０，１のビットにより表現する方法に限定されるものではない。
【０１３５】
次に、表示する項目をどのようにして液晶表示器２２０８に表示するかについて説明する。本実施形態では以下の３つの表示方法について説明するが、以降の表示方法に限定されるものではない。
【０１３６】
＜表示方法１＞
図２４に、図２３に示した設定テーブルに従った表示対象（リムーバブルハードディスクカートリッジ２２０１の空き容量、タイトル、所有者）の表示方法の一例を示す。同図において２４０１乃至２４０３は液晶表示器２２０８に表示される項目を時系列に示したもので、段階２４０１では空き容量が表示される。そして所定の時間の経過後（計時はタイマにより行われている）、液晶表示器２２０８の表示項目が変わり、段階２４０２ではタイトルが表示される。更に所定の時間の経過後、液晶表示器２２０８の表示項目が変わり、段階２４０３では所有者が表示される。
【０１３７】
この表示方法により、限定されたサイズの表示画面で複数の表示項目をリムーバブルハードディスクカートリッジを使用するユーザに知らせることができる。なお、表示項目、表示順は同図に限定されるものではない。
【０１３８】
図２７に上記表示処理のフローチャートを示す。まずステップＳ２７０１で、半導体メモリ読み書き回路２２０５が不揮発性半導体メモリ２２０４から上記設定テーブルを読み出す。そしてステップＳ２７０２で情報選択制御回路２２０７は読み出した設定テーブルを参照して、表示対象の項目を判断する。これは図２３に示した設定テーブルの利では０，１のビットを参照して、１のビットに対応する項目を表示対象の項目とする。表示対象の場合には処理をステップＳ２７０３に進め、表示対象でない場合には次の項目が表示対象であるか否かを判断する。
【０１３９】
ステップＳ２７０３では、情報選択制御回路２２０７は表示対象の項目を液晶表示器２２０８に表示する。また本ステップでは表示と同時にタイマ２２０９は計時をスタートさせる。そしてステップＳ２７０４では情報選択制御回路２２０７はタイマ２２０９の計時による経過時間を監視し、所定の時間が経過したか否かを判断する。そして所定の時間が経過すると処理をステップＳ２７０５に進め、情報選択制御回路２２０７はタイマ２２０９をリセットし、処理をステップＳ２７０２に戻す。
【０１４０】
以上のフローチャートに従った処理は、設定テーブルの各項目を順次表示対象であるか否かを判断し、その判断結果に応じて以降の処理を行っているが、表示対象の項目を一度に読み出し、読み出した項目について以降の処理を行っても良い。その場合の処理のフローチャートを図２８に示す。同図のフローチャートが図２７のフローチャートと異なる部分はステップＳ２８０２における処理のみであって、ステップＳ２８０２ではステップＳ２８０１で読み出した設定テーブルを参照して、表示対象の項目を全て読み出す。そしてステップＳ２８０３以降の各ステップの処理は、上記ステップＳ２７０３以降の各ステップの処理と同じであるため、その説明を省略する。
【０１４１】
＜表示方法２＞
図２５に、図２３に示した設定テーブルに従った表示対象（リムーバブルハードディスクカートリッジ２２０１の空き容量、タイトル、所有者）の表示方法の一例を示す。本表示方法では、液晶表示器２２０８に表示対象の項目全てを表示し、そして表示画面に表示された各項目を（同図矢印の方向に）スクロールさせることで、液晶表示器２２０８の画面内にリムーバブルハードディスクカートリッジ２２０１の空き容量、タイトル、所有者の３つの項目を一度に、もしくは時間をずらして表示させることができる。
【０１４２】
また表示画面のサイズの関係で表示対象の項目を全て一度に表示しきれない場合には、表示しきれるところまでを一度に表示し、スクロールと共に順次残りの部分を表示すればよい。
【０１４３】
この表示方法により、限定されたサイズの表示画面で複数の表示項目をリムーバブルハードディスクカートリッジを使用するユーザに知らせることができる。なお、表示項目、表示順は同図に限定されるものではない。
【０１４４】
図２９に上記表示処理のフローチャートを示す。まずステップＳ２９０１で、半導体メモリ読み書き回路２２０５が不揮発性半導体メモリ２２０４から上記設定テーブルを読み出す。そしてステップＳ２９０２で情報選択制御回路２２０７は読み出した設定テーブルを参照して、表示対象の項目を全て読み出す。
【０１４５】
ステップＳ２９０３では、情報選択制御回路２２０７は表示対象の項目を液晶表示器２２０８に表示すると共に、スクロールを行う。
【０１４６】
また、表示対象の項目をスクロールのタイミングに応じて順次読み出し、表示しても良い。
【０１４７】
＜表示方法３＞
図２６に、図２３に示した設定テーブルに従った表示対象（リムーバブルハードディスクカートリッジ２２０１の空き容量、タイトル、所有者）の表示方法の一例を示す。本表示方法では、液晶表示器２２０８の一画面中に表示対象の項目全てが収まるようにレイアウトを決定し、表示することで、液晶表示器２２０８の画面内にリムーバブルハードディスクカートリッジ２２０１の空き容量、タイトル、所有者の３つの項目を一度に表示させることができる。
【０１４８】
なおレイアウトの決定方法としては、例えば（液晶表示器２２０８の横方向のサイズ）／（表示項目の文字数＋各表示項目の間の数）を求め、求めた値を表示文字のサイズ、表示項目の間隔のサイズとする。
【０１４９】
この表示方法により、限定されたサイズの表示画面で複数の表示項目をリムーバブルハードディスクカートリッジを使用するユーザに知らせることができる。なお、表示項目、表示順は同図に限定されるものではない。
【０１５０】
図３０に上記表示処理のフローチャートを示す。まずステップＳ３００１で、半導体メモリ読み書き回路２２０５が不揮発性半導体メモリ２２０４から上記設定テーブルを読み出す。そしてステップＳ３００２で情報選択制御回路２２０７は読み出した設定テーブルを参照して、表示対象の項目を全て読み出す。
【０１５１】
ステップＳ３００３では、上記レイアウトを決定する。そしてステップＳ３００４では決定したレイアウトに従って表示対象の項目を液晶表示器２２０８に表示する。
【０１５２】
以上の説明により、本実施形態によれば、限られたサイズの表示画面に複数の情報を表示することができる。
【０１５３】
［他の実施形態］
本発明の目的は、前述した実施形態の機能を実現するソフトウェアのプログラムコードを記録した記憶媒体を、システムあるいは装置に供給し、そのシステムあるいは装置のコンピュータ（またはＣＰＵまたはＭＰＵ）が記憶媒体に格納されたプログラムコードを読み出し実行することによっても達成されることは言うまでもない。
【０１５４】
この場合、記憶媒体から読み出されたプログラムコード自体が前述した実施形態の機能を実現することになり、そのプログラムコードを記憶した記憶媒体は本発明を構成することになる。
【０１５５】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることが出来る。また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部を行い、その処理によって前述した実施形態の機能が実現される場合も含まれることは言うまでもない。
【０１５６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１５７】
【発明の効果】
以上の説明により、本発明によって、情報記憶装置に配された表示装置の位置、状態に応じた情報表示を行うことができる。また、メモリに記憶された情報を効率よく表示することができる。
【図面の簡単な説明】
【図１】本発明の第１の実施形態に係るリムーバブルハードディスクカートリッジの構成図である。
【図２】リムーバブルハードディスクカートリッジ１を積み重ねた（ラックなどに整理した）場合の様子を示す図である。
【図３】電源弁別回路３４の詳細な構成を示す図である。
【図４】リムーバブルハードディスクカートリッジ１が、本体装置から入力された各種の情報を不揮発性メモリ３１に書き込む処理のフローチャートである。
【図５】リムーバブルハードディスクカートリッジ１が、ＬＣＤ３２、およびＬＣＤ３６へ情報を表示する処理のフローチャートである。
【図６】リムーバブルハードディスクカートリッジ１を本体装置２の収容口２ａに収容していない場合に、ＬＣＤ３２、ＬＣＤ３６の状態を示す図である。
【図７】リムーバブルハードディスクカートリッジ１を上記本体装置２の収容口２ａに収容してる場合に、ＬＣＤ３２、ＬＣＤ３６の状態を示す図である。
【図８】本発明の第２の実施形態に係るリムーバブルハードディスクカートリッジと保護ケースとを示す図である。
【図９】リムーバブルハードディスクカートリッジ１００と保護ケース９０の構成を示す図である。
【図１０】保護ケース９０、すなわちＬＣＤ９３の着脱を検知する回路の構成例を示した図である。
【図１１】リムーバブルハードディスクカートリッジ１がＬＣＤ３２、そして状況に応じてＬＣＤ９３へ情報を表示する処理のフローチャートを示す。
【図１２】本実施形態に係るリムーバブルハードディスクカートリッジ１がＬＣＤ３２、そして状況に応じてＬＣＤ９３へ情報を表示する処理のフローチャートである。
【図１３】本発明の第４の実施形態に係るリムーバブルハードディスクカートリッジ１３００の構成を示す図である。
【図１４】着脱検知回路１３０１の詳細な構成を示す図である。
【図１５】リムーバブルハードディスクカートリッジ１３００の本体装置への着脱に応じて表示装置ブロック１３０２が行う処理のフローチャートである。
【図１６】リムーバブルハードディスクカートリッジ１３００を本体装置２の収容口２ａに収容していない（リムーバブルハードディスクカートリッジ１３００に装着していない）場合のＬＣＤ３２に表示状態を示す図である。
【図１７】リムーバブルハードディスクカートリッジ１３００を本体装置２の収容口２ａに収容している（リムーバブルハードディスクカートリッジ１３００に装着している）場合のＬＣＤ３２に表示状態を示す図である。
【図１８】リムーバブルハードディスクカートリッジ１３００を本体装置２の収容口２ａに収容していない（リムーバブルハードディスクカートリッジ１３００に装着していない）場合のＬＣＤ３２に表示状態を示す図である。
【図１９】リムーバブルハードディスクカートリッジ１３００を本体装置２の収容口２ａに収容している（リムーバブルハードディスクカートリッジ１３００に装着している）場合のＬＣＤ３２に表示状態を示す図である。
【図２０】リムーバブルハードディスクカートリッジ１３００が本体装置に装着されているか否かの検知を行う方法の一例を示す図である。
【図２１】リムーバブルハードディスクカートリッジ１３００が本体装置に装着されているか否かの検知を行う方法の一例を示す図である。
【図２２】本発明の第６の実施形態に係る情報記憶装置の構成を示す図である。
【図２３】設定テーブルの構成例を示す図である。
【図２４】図２３に示した設定テーブルに従った表示対象（リムーバブルハードディスクカートリッジ２２０１の空き容量、タイトル、所有者）の表示方法の一例を示す図である。
【図２５】図２３に示した設定テーブルに従った表示対象（リムーバブルハードディスクカートリッジ２２０１の空き容量、タイトル、所有者）の表示方法の一例を示す図である。
【図２６】図２３に示した設定テーブルに従った表示対象（リムーバブルハードディスクカートリッジ２２０１の空き容量、タイトル、所有者）の表示方法の一例を示す図である。
【図２７】＜表示方法１＞の処理のフローチャートである。
【図２８】＜表示方法１＞において、表示対象の項目を一度に読み出し、読み出した項目について処理を行う表示方法の処理のフローチャートである。
【図２９】＜表示方法２＞の処理のフローチャートである。
【図３０】＜表示方法３＞の処理のフローチャートである。
【図３１】本体装置の概略の外観図である。
【図１】
2004022081.tif 000003
【図２】
2004022081.tif 000004
【図３】
2004022081.tif 000005
【図４】
2004022081.tif 000006
【図５】
2004022081.tif 000007
【図６】
2004022081.tif 000008
【図７】
2004022081.tif 000009
【図８】
2004022081.tif 000010
【図９】
2004022081.tif 000011
【図１０】
2004022081.tif 000012
【図１１】
2004022081.tif 000013
【図１２】
2004022081.tif 000014
【図１３】
2004022081.tif 000015
【図１４】
2004022081.tif 000016
【図１５】
2004022081.tif 000017
【図１６】
2004022081.tif 000018
【図１７】
2004022081.tif 000019
【図１８】
2004022081.tif 000020
【図１９】
2004022081.tif 000021
【図２０】
2004022081.tif 000022
【図２１】
2004022081.tif 000023
【図２２】
2004022081.tif 000024
【図２３】
2004022081.tif 000025
【図２４】
2004022081.tif 000026
【図２５】
2004022081.tif 000027
【図２６】
2004022081.tif 000028
【図２７】
2004022081.tif 000029
【図２８】
2004022081.tif 000030
【図２９】
2004022081.tif 000031
【図３０】
2004022081.tif 000032
【図３１】
2004022081.tif 000033